(57)【特許請求の範囲】
【請求項１】
着順を競う競技の着順を当てる投票券の購入者にポイントを付与する、中央管理システムに通信可能に接続された投票ポイントシステムにおいて、
前記競技の進行状態を管理する競技管理サーバと、
会員を登録する会員登録端末と前記投票券を発売する発券機とにそれぞれ通信可能に接続され、前記発券機が投票券を発券する際に当該投票券を購入した会員に所定のポイントを付与する投票ポイントサーバと、
前記会員を特定する情報と該会員が購入した投票券の情報と該会員の現在のポイントの累積値の情報を格納する会員情報記憶手段を備えた会員管理システムと、を備え、
前記中央管理システムは、前記競技管理サーバから受信した前記競技の進行状況に係るデータと、前記会員管理システムから受信した前記会員が購入した投票券の情報に基づいて、前記会員が購入した投票券が前記競技への出場停止をした選手または該選手の乗物に対するものか否かを判定し、該判定結果が肯定のとき当該投票券を購入した時に付与された前記会員のポイント値を前記投票ポイントサーバに送信し、
前記投票ポイントサーバは、受信した前記会員のポイント値を前記会員の現在のポイントの累積値から減算する、
ことを特徴とする投票ポイントシステム。
【請求項２】
前記会員管理システムは、前記中央管理システム内に設置される、請求項１に記載の投票ポイントシステム。
【請求項３】
着順を競う競技の着順を当てる投票券の購入者にポイントを付与する、中央管理システムに通信可能に接続された投票ポイントシステムにおける投票ポイント算出方法において、
前記投票ポイントシステムは、
前記競技の進行状態を管理する競技管理サーバと、
会員を登録する会員登録端末と前記投票券を発売する発券機とにそれぞれ通信可能に接続され、前記発券機が投票券を発券する際に当該投票券を購入した会員に所定のポイントを付与する投票ポイントサーバと、
前記会員を特定する情報と該会員が購入した投票券の情報と該会員の現在のポイントの累積値の情報を格納する会員情報記憶手段を備えた会員管理システムと、を備え
前記中央管理システムは、前記競技管理サーバから受信した前記競技の進行状況に係るデータと、前記会員管理システムから受信した前記会員が購入した投票券の情報に基づいて、前記会員が購入した投票券が前記競技への出場停止をした選手または該選手の乗物に対するものか否かを判定し、該判定結果が肯定のとき当該投票券を購入した時に付与された前記会員のポイント値を前記投票ポイントサーバに送信し、
前記投票ポイントサーバは、受信した前記会員のポイント値を前記会員の現在のポイントの累積値から減算する、
ことを特徴とする投票ポイント算出方法。
【請求項４】
前記会員管理システムは、前記中央管理システム内に設置される、請求項３に記載の投票ポイント算出方法。
【発明の詳細な説明】
【技術分野】
【０００１】
本発明は、公営競技のように直線コースまたは周回コースを移動して着順を競う競技に参加する選手または選手が乗る馬、自転車、オートバイまたはボート等の乗物の着順を当てる投票券にポイントを付与する投票ポイントシステム、投票ポイント算出方法およびそのためのプログラムに関する。
【背景技術】
【０００２】
最近、公営競馬場のような公営競技場では、競技場の来場者で会員となった者が購入する投票券の金額に応じてポイント、例えば投票券の購入代金１００円のつき１ポイントを付与し、累積されたポイント値に対し商品等で還元するサービスを受けることができる。
【０００３】
会員登録は、競技場に設置された会員登録端末または投票登録端末で、会員またはオペレータが会員の氏名、生年月日、識別番号等の会員情報を入力することで行われ、会員情報が格納された磁気カードまたはＩＣカードからなる会員カードが発行される。会員カードには会員が購入した投票券の購入金額に応じてポイントが付与される。
【０００４】
ポイントは自動発売機または自動発払機に会員カードを挿入して購入した投票券に対して当該会員カードに付与される。従来のトータリゼーションシステム（Totalizator System）では、サーバは、全レースの競技の発券中には発券業務に専念し、全レース終了後には全レースに対するレース毎の売上高、払戻高の集計をバッチ処理し、バッチ処理後にポイントの加算を行っている。したがって、会員に対するポイントの反映は競技の翌日以降になっている。
【０００５】
このような投票ポイントシステムにおいて、レースによっては選手または該選手の乗物が競技の直前に競技への出場停止となる場合がある。この出場停止は、競馬では出走取消、競輪では競走除外、オートレースでは欠車、競艇では欠艇と呼ばれている。出場停止が発生すると出場停止となった選手または該選手の乗物に賭けた投票券をすでに購入した会員にその投票券の購入金額に対する払戻しは行われるもののポイントは付与されたままとなっている。また、レースによっては何等かの理由で、例えば競馬で人気馬の出場停止が多数発生するとレースが不成立になる場合がある。このような場合も投票券をすでに購入した会員にその投票券の購入金額に対する払戻しは行われるもののポイントは付与されたままとなっている。
【０００６】
特許文献１に記載のポイント処理装置は、センターサーバが自身に接続された端末装置の投票受付部で受け付けた投票券に記録された投票情報を受信し、投票情報とレース結果とを比較し、投票情報に係るレース結果の予想が的中していない場合にポイント値を発生させ、端末装置の投票受付部で受け付けられたポイントカードに記録されたポイントＩＤに対応してセンターサーバ内のポイントデータベースに格納されている現在のポイント値に加算して上書きして格納する。このポイント処理装置によれば、レース結果の予想が的中した場合には投票券を購入した会員は配当金等を受け取ることができるのでポイント値が加算されなくても満足できるが、レース結果の予想が的中していない場合には投票券を購入した会員は配当金等を受け取ることができないのでポイント値を加算することで報償でき娯楽性が高められる。
【０００７】
【特許文献１】特開平２００２−９２２４１号公報（特許請求の範囲の［請求項１］、［請求項４］〜［請求項７］、段落番号［０００６］、［０００９］、［００１８］、［００１９］、［００２２］および［００２７］および図面の［図１］参照）。
【発明の開示】
【発明が解決しようとする課題】
【０００８】
しかしながら、特許文献１に記載のポイント処理装置では、会員に対するポイントの反映は競技の翌日以降であり、当日に取得したポイントを利用することができないという問題がある。
【０００９】
また、特許文献１に記載のポイント処理装置では、レース不成立が発生した場合や出場停止が発生した場合に、レース不成立となった投票券や出場停止となった選手または該選手の乗物に賭けた投票券を、すでに購入した会員にその投票券の購入金額に対する払戻しは行われるもののポイントは付与されたままとなっており、競技の開催者側にとってこのようなポイントは会員に反映される必要がないものであるにも関わらず付与されたままとなるので過剰なサービスとなり負担が掛かるという問題がある。
【００１０】
本発明は、上記問題を解決するためになされたものであり、会員に対するポイントの反映を当該競技の確定直後に行う投票ポイントシステム、投票ポイント算出方法およびそのためのプログラムの提供を目的とする。
【００１１】
本発明はまた、レース不成立が発生した場合や出場停止が発生した場合に、レース不成立となった投票券や出場停止となった選手または該選手の乗物に賭けた投票券を、すでに購入した会員の累計ポイント値から当該投票券の購入金額に対するポイント値を減算する投票ポイントシステム、投票ポイント算出方法およびそのためのプログラムの提供を他の目的とする。
【課題を解決するための手段】
【００１２】
上記目的を達成する本発明による投票ポイントシステムは、着順を競う競技の着順を当てる投票券の購入者にポイントを付与する、中央管理システムに通信可能に接続された投票ポイントシステムにおいて、前記競技の進行状態を管理する競技管理サーバと、会員を登録する会員登録端末と前記投票券を発売する発券機とにそれぞれ通信可能に接続され、前記発券機が投票券を発券する際に当該投票券を購入した会員に所定のポイントを付与する投票ポイントサーバと、前記会員を特定する情報と該会員が購入した投票券の情報と該会員の現在のポイントの累積値の情報を格納する会員情報記憶手段を備えた会員管理システムと、を備え、前記中央管理システムは、前記競技管理サーバから受信した前記競技の進行状況に係るデータと、前記会員管理システムから受信した前記会員が購入した投票券の情報に基づいて、前記会員が購入した投票券が前記競技への出場停止をした選手または該選手の乗物に対するものか否かを判定し、該判定結果が肯定のとき当該投票券を購入した時に付与された前記会員のポイント値を前記投票ポイントサーバに送信し、前記投票ポイントサーバは、受信した前記会員のポイント値を前記会員の現在のポイントの累積値から減算する、ことを特徴とする。
【００１３】
上記ポイントシステムにおいて、前記会員管理システムは、前記中央管理システム内に設置されることもできる。
【００１４】
上記目的を達成する本発明による投票ポイントシステムにおける投票ポイント算出方法は、着順を競う競技の着順を当てる投票券の購入者にポイントを付与する、中央管理システムに通信可能に接続された投票ポイントシステムにおける投票ポイント算出方法において、前記投票ポイントシステムは、前記競技の進行状態を管理する競技管理サーバと、
会員を登録する会員登録端末と前記投票券を発売する発券機とにそれぞれ通信可能に接続され、前記発券機が投票券を発券する際に当該投票券を購入した会員に所定のポイントを付与する投票ポイントサーバと、前記会員を特定する情報と該会員が購入した投票券の情報と該会員の現在のポイントの累積値の情報を格納する会員情報記憶手段を備えた会員管理システムと、を備え前記中央管理システムは、前記競技管理サーバから受信した前記競技の進行状況に係るデータと、前記会員管理システムから受信した前記会員が購入した投票券の情報に基づいて、前記会員が購入した投票券が前記競技への出場停止をした選手または該選手の乗物に対するものか否かを判定し、該判定結果が肯定のとき当該投票券を購入した時に付与された前記会員のポイント値を前記投票ポイントサーバに送信し、前記投票ポイントサーバは、受信した前記会員のポイント値を前記会員の現在のポイントの累積値から減算する、ことを特徴とする。
【００１５】
上記投票ポイント算出方法において、前記会員管理システムは、前記中央管理システム内に設置されることもできる。
【発明の効果】
【００２０】
本発明によれば、会員に対するポイントの反映を当該競技の確定直後に行う投票ポイントシステム、投票ポイント算出方法が提供できる。
【００２１】
本発明によれば、レース不成立が発生した場合や出場停止が発生した場合に、レース不成立となった投票券や出場停止となった選手または該選手の乗物に賭けた投票券を、すでに購入した会員の累計ポイント値から当該投票券の購入金額に対するポイント値を減算する投票ポイントシステム、投票ポイント算出方法が提供できる。
【発明を実施するための最良の形態】
【００２２】
以下、本発明を競馬場に設置された投票ポイントシステムの実施形態を例に挙げて詳細に説明する。
図１は本発明の第一実施形態に係る投票ポイントシステムのブロック構成図である。図１に示す投票ポイントシステム１は、競馬場内に設置され、耐障害性を高めるため二重化を計った現用と予備用の２つの投票ポイントサーバ（現用）１１および投票ポイントサーバ（予備用）１２を備えている。
【００２３】
投票ポイントサーバ（現用）１１および投票ポイントサーバ（予備用）１２には、それぞれＬＡＮ（Local Area Network）１３およびＬＡＮ１４が接続されており、投票ポイントサーバ（現用）１１および投票ポイントサーバ（予備用）１２に、ＬＡＮ１３を介して会員登録端末１１１、投票ポイント照会端末１１２および投票ポイント交換端末１１３が接続され、ＬＡＮ１４を介して複数ｎ個の自動発払機１２１、１２２、…、１２ｎが接続されている。自動発払機は自動発売機および自動払戻機を兼ねたものである。ｎ個の自動発払機は自動発売機または自動払戻機でもよい。
【００２４】
会員登録端末１１１は、競馬場内の受付窓口にあり、競馬場の来場者が投票ポイントシステムに加入を希望する場合申込書に所定の事項、会員希望者の氏名、生年月日、識別番号等の会員情報を記入すると、受付窓口のオペレータがその会員情報を入力し即座に会員カードを発行し、会員希望者に渡す。
【００２５】
投票ポイント照会端末１１２は、競馬場の適切な場所に設置された投票窓口であり、会員カードを挿入することで会員カードに付与されている現在のポイント値を照会する装置である。
【００２６】
投票ポイント交換端末１１３は、競馬場内にあり、会員が取得したポイント値に応じて商品を交換するための窓口であり、受付窓口のオペレータが会員により挿入された会員カードに付与されている現在のポイント値に応じて商品を交換するための装置である。
【００２７】
自動発払機１２１、１２２、…、１２ｎは、競馬場の適切な場所に多数設置された投票券の購入装置であり、発券ユニットとマークシートユニットを有し、発券ユニットに会員カードを挿入し、現金を挿入し、マークシートユニットにマークシートを挿入することでレース毎の投票券の購入手続を実行すると投票券が発行され、当該レースの結果が確定した後に購入した投票券の金額に応じたポイント値が会員カードの現在のポイント値に加算される。ここで、マークシートとはレース毎の各種投票券を購入する際に、例えば第９レースの連勝複式馬券１０００円を記入するマークシートである。
【００２８】
投票ポイントシステム１は会員管理システム１５を備えており、会員管理システム１５は投票ポイントサーバ（現用）１１および投票ポイントサーバ（予備用）１２にそれぞれ接続されている。会員管理システム１５内の会員情報記憶部（不図示）には、会員の有効期限や会員を特定する情報と該会員が購入した投票券の情報と該会員の現在のポイントの累積値の情報が格納されている。
【００２９】
競技管理サーバ１６は、出走取消等の競技の進行状態を管理し、ＬＡＮ１４に接続され、ＬＡＮ１４を介して投票ポイントサーバ（現用）１１および投票ポイントサーバ（予備用）１２にそれぞれ接続され、かつＬＡＮ１４およびインターネット３を介して中央管理システム２に接続され、中央管理システム２に競技の進行状態に係るデータを送信する。
【００３０】
投票ポイントサーバ（現用）１１と投票ポイントサーバ（予備用）１２とは全く同じ機能を有するので、以下に投票ポイントサーバ（現用）１１についてのみ説明する。
【００３１】
投票ポイントシステム１は、競馬場外に設置された中央管理システム２にインターネット３を介して接続されている。図１には一つの投票ポイントシステム１を示しているが、中央管理システム２には不図示の複数の投票ポイントシステムが各競馬場からインターネット３を介して接続されている。中央管理システム２は例えば国内に１、２台設置され、国内の複数の競馬場を管理するものである。
【００３２】
図２は本発明の第二実施形態に係る投票ポイントシステムのブロック構成図である。図１に示す第一実施形態に係る投票ポイントシステム１と異なるところは、第一実施形態の会員管理システム１５は投票ポイントシステム１内に設置されているのに対し、第二実施形態の会員管理システム２５はインターネット３を介して投票ポイントシステム１０に接続される中央管理システム２０内に設置されている点にある。
【００３３】
第二実施形態の投票ポイントサーバ（現用）１１０および投票ポイントサーバ（予備用）１２０は第一実施形態の投票ポイントサーバ（現用）１１および投票ポイントサーバ（予備用）１２と実質的に同じであるが、ＬＡＮ１４およびインターネット３を介して接続された中央管理システム２０内の会員管理システム２５と通信する点で異なる。
【００３４】
図２に示す投票ポイントシステム１０内の投票ポイントサーバ（現用）１１０は、ＬＡＮ１４およびインターネット３を介して中央管理システム２０と相互に通信し、図３に示すフローチャートの処理を実行する。投票ポイントサーバ（現用）１１０と投票ポイントサーバ（予備用）１２０とは全く同じ機能を有するので、以下に投票ポイントサーバ（現用）１１０についてのみ説明する。次に、本発明の第２実施形態に係る投票ポイントシステムの動作について以下に説明する。
【００３５】
図３は図２に示す投票ポイントシステム全体の動作を示すフローチャートである。
ステップ３０１では、自動発払機１２１の発券ユニットで会員カードを挿入する。
ステップ３０２では、自動発払機１２１が発券ユニットに挿入された会員カードの情報を読取り、中央管理システム２０に会員カードの認証要求を送信する。
【００３６】
ステップ３０３では、中央管理システム２０は会員カードの認証を行う。すなわち、会員カードの情報を元に、会員カードの有効期限は有効か否かおよび会員カードの会員であるか否かの確認を行う。この会員カードの認証は、まず自動発払機１２１が発券ユニットに挿入された会員カードのデータを読込み、そのデータを投票ポイントサーバ１１０に送信し、次いで投票ポイントサーバ１１０が、会員管理システム２５を介して会員管理システム２５内の会員情報記憶部に格納された会員に関する各種情報を参照し、受信した会員カードの認証を行う。投票ポイントサーバ１１０はこの会員カードの認証結果を示すデータを中央管理システム２０に送信する。
【００３７】
ステップ３０４では、中央管理システム２０から自動発払機１２１に、ステップ３０３での認証結果がＮＧの場合は投票は可能であるが認証はエラーである旨を表示する信号を送り、ＯＫの場合は現在のポイント値を表示する信号を送る。
ステップ３０５では、自動発払機１２１の発券ユニットで会員カードを返却する。
【００３８】
ステップ３０６では、自動発払機１２１で現金の挿入とマークシートユニットからのマークシートの挿入を受け発券処理を実行する。具体的には、以下のステップ３０６−１〜３０６−４の処理を実行する。
【００３９】
ステップ３０６−１では、自動発払機１２１から自動発払機内のマークシートユニットにマークシートの読取指示を送信する。
ステップ３０６−２では、自動発払機内のマークシートユニットから自動発払機１２１にマークシートの読取応答を送信する。
【００４０】
図４は自動発払機と投票ポイントサーバ間で送受信される発売データまたはポイント用発売データを示す図である。
ＳＴＸは送信されるデータの開始を示し、ＥＴＸは送信されるデータの終了を示す。
【００４１】
データ種別には発売データかポイント用発売データかが記述され、他の種別として予備１、予備２が記述される。
発売場名にはレースが開催されるレース会場の名前が記述される。
発売所名にはレースが開催されるレース会場内の複数個所に設置される自動発払機のコードが記述される。
【００４２】
レースＮｏ．にはレースの番号が記述される。
発売日時には発券された日時が記述される。
年回日には例えば２００７年、第３回（同一年内における第何回目の開催かを示す）および第６日目（例えば６日連続の第何日目の開催かを示す）が記述される。
主催には主催者名が記述される。
発券Ｎｏ．には数十桁の発券番号が記述される。
【００４３】
式別には１〜９の数字が記述され、単勝には１、複勝には２、枠連複には３、枠連単には４、馬連複には５、馬連単には６、三連複には７、三連単には８、ワイドには９が記述される。
組券＋金額には組番と購入金額が複数個記述される。それゆえ可変長のデータが記述される。
レース成立にはレースが成立したとき１が不成立であったとき２が示される。
データ内容には発売データ要求送信のとき１が発売データ応答受信のとき２がポイント用発売データ要求送信のとき３がポイント用発売データ応答受信のとき４が喜寿される。
予備には将来追加され得るデータのために設けられ、現状はブランクデータが記述される。
【００４４】
ステップ３０６−３では、自動発払機１２１は、マークシートに記入されたデータを読取り、投票ポイントサーバ１１０に発売データの送信要求を送信するとともに、自動発払機１２１内の発券ユニットでプレ編集を行う。ここで、プレ編集とは、自動発払機１２１が自身のＣＰＵにより読取ったデータを自身の発券ユニットが処理可能なように編集することを意味する。
【００４５】
ステップ３０６−４では、自動発払機１２１内の発券ユニットから自動発払機１２１にプレ編集が終了したことを通知する。
【００４６】
ステップ３０７では、投票ポイントサーバ１１０から自動発払機１２１に上記発売データを受信したことを通知する。
ステップ３０８では、発売データ応答がＯＫの場合、自動発払機１２１から自動発払機内のマークシートユニットにマークシートの収納指示を送信する。
【００４７】
ステップ３０９では、発売データ応答がＯＫの場合、自動発払機１２１から自動発払機内のマークシートユニットに次のマークシートの読取指示を送信する。
ステップ３１０では、投票券が有効の場合、自動発払機１２１から投票ポイントサーバ１１０にポイント用発売データ要求を送信し、投票ポイントサーバ１１０はその処理を実行する。すなわち、カード番号＋券面ＩＤ（券１枚毎のデータ）＋投票内容（発売データ）からポイント用発売データを得る。ここで、ポイント用発売データ要求とは、自動発払機１２１から投票ポイントサーバ１１０にポイントに関するデータの送信を要求することを意味する。ステップ３１０の処理は投票券の発券処理が完結するまで続けられる。
【００４８】
ステップ３１１では、ポイント用発売データ応答受信でＮＧの場合、投票ポイントサーバ１１０から自動発払機１２１にポイント用発売データ応答受信を送信し控券に印字する。ここで、控券とは当該自動発払機１２１でどのような投票券が発売されたかを印字して記録しておくため自身に装備したロール紙を意味する。
【００４９】
ステップ３１２では、自動発払機内のマークシートユニットから自動発払機１２１にマークシートの読取応答を行う。ここで、マークシートの読取応答とは自動発払機１２１が発券ユニットで購入された投票券のデータを自身のＣＰＵにより正常に読取ったことを発券ユニットに通知する処理を言う。
【００５０】
ステップ３１３では、マークシートが複数枚挿入されていた場合は上記プレ編集およびマークシートの要求送信を繰り返し実行する。
【００５１】
図５は本発明によるポイント減算処理のフローチャートである。
ステップ５０１では、投票ポイントサーバ１１０は中央管理システム２０からポイント減算値、すなわちレース不成立、出走取消等のときに減算するポイント値を受信する。ここで、中央管理システム２０は競技管理サーバ１６から競技の進行状態に係るデータを受信しているので出走取消が発生すると会員管理システム２５内の会員情報記憶部（不図示）に格納された会員を特定する情報と該会員が購入した投票券の情報と該会員の現在のポイントの累積値の情報を検索して、上記レース不成立または出走取消により減算するポイント値を読取ることができる。
【００５２】
ステップ５０２では、投票ポイントサーバ１１０は中央管理システム２０にポイント減算値の受信が正常の場合にポイント減算値を受信したことを通知する。
ステップ５０３では、投票ポイントサーバ１１０は中央管理システム２０内の会員管理システム２５に登録され格納された会員の一覧表から検索される該当会員のポイントの累積値からステップ５０２で受信したポイント減算値を減算する。
【００５３】
以上、図２に示す本発明の第２実施形態に係る投票ポイントシステムの動作について説明したが、図１に示す第１実施形態に係る投票ポイントシステムでは、実質的に会員管理システム１５が投票ポイントシステム１内に設けられた点が第２実施形態と異なるだけであるので投票ポイントシステムの動作の詳細説明は省略する。
【００５４】
また、本発明の第３実施形態に係る投票ポイントシステムとして、図１に示す第１実施形態に係る投票ポイントシステム１内の投票ポイントサーバが中央管理システムを兼ねた構成としてもよい。この場合、単一の競技場内に中央管理システムとは独立した本発明の投票ポイントシステムを実現することができる。
【００５５】
図６はポイント減算処理を行う具体例を表で示す図であり、（Ａ）はころがし投票の成立例を示す表であり、（Ｂ）はころがし投票の不成立例を示す表であり、（Ｃ）はころがし投票の結果のパターン例を示す表である。
【００５６】
ころがし投票は３レース続けて１着と２着の馬を当てる投票券（馬券）であり、図６の（Ａ）に示す例では、各レースが成立し、つまり各レースで所定数の馬が出走し、第８レースは１着が５番の馬で２着が６番の馬の着順で確定し、第９レースは１着が６番の馬で２着が２番の馬の着順で確定し、第１０レースは１着が１番の馬で２着が２番の馬の着順で確定し、投票券の購入者は各レースで的中するとそのレースの配当金を次のレースに自動投入することになり、全レースに的中すると、配当金が倍々に増える。この場合各レースが成立したので、投票券の購入者にはポイントが付与される。
【００５７】
図６の（Ｂ）に示すように、第８レースは１着が５番の馬で２着が６番の馬の着順で確定し、第９レースは１着が６番の馬で２着が２番の馬の着順で確定し、第１０レースは２番の馬が出走取消しとなり、１着が１番の馬で２着が２番以外の馬の着順で確定した例を示す。この場合各レースは成立したが、投票券の購入者には第８レース、第９レースでポイントは付与されるが、第１０レースで２番の馬が出走取消しとなったので払戻しはできるもののポイントは付与されない。
【００５８】
図６の（Ｃ）に示すころがし投票の結果のパターン例は５つのパターンを示している。図６の（Ｃ）において、左から順に第１の欄は返還（投票券の購入代金の払戻し）の有無を示し、第２の欄はレースが成立したか否かを示し、第３の欄はポイントの成立の損得、つまりポイントを投票券の購入者に付与することが主催者側にとって損か得かを示し、第４の欄は投票券の購入者にポイントを付与するか否かを示し、第５の欄はこれらのパターンの番号を示している。図６の（Ｃ）から、本発明では主催者側にとって投票券の購入者にポイントを付与することが損の場合にポイントを付与しないことが判る。
【図面の簡単な説明】
【００５９】
【図１】本発明の第一実施形態に係る投票ポイントシステムのブロック構成図である。
【図２】本発明の第二実施形態に係る投票ポイントシステムのブロック構成図である。
【図３】図２に示す投票ポイントシステム全体の動作を示すフローチャートである。
【図４】自動発払機と投票ポイントサーバ間で送受信される発売データまたはポイント用発売データを示す図である。
【図５】本発明によるポイント減算処理のフローチャートである。
【図６】ポイント減算処理を行う具体例を表で示す図であり、（Ａ）はころがし投票の成立例を示す表であり、（Ｂ）はころがし投票の不成立例を示す表であり、（Ｃ）はころがし投票の結果のパターン例を示す表である。
【符号の説明】
【００６０】
１、１０    投票ポイントシステム
２、２０    中央管理システム
３    インターネット
１１、１１０    投票ポイントサーバ（現用）
１２、１２０    投票ポイントサーバ（予備用）
１３、１４    ＬＡＮ
１５、２５    会員管理システム
１６    競技管理サーバ
１１１    会員登録端末
１１２    投票ポイント照会端末
１１３    投票ポイント交換端末
１２１、１２２、…、１２ｎ    自動発払機
【図１】
0005194668.tif 000002
【図２】
0005194668.tif 000003
【図３】
0005194668.tif 000004
【図４】
0005194668.tif 000005
【図５】
0005194668.tif 000006
【図６】
0005194668.tif 000007